(57)【要約】【課題】磁気吸引力の増加およびその安定化を実現し得る電磁弁を提供する。【解決手段】プランジャ２３のプランジャ本体２３ａのコア部側端面には、円筒状の突出部２３ｂが同軸的に設けられている。また、ステータコア２１のコア部４０には、突出部２３ｂの外周面との間にエアギャップが介在するように当該突出部２３ｂが進入可能な環状段部４９が同軸的に設けられている。そして、プランジャ２３が磁気吸引力により最もスプール側へ移動したとき、環状段部４９に進入される突出部２３ｂの進入部位の軸方向長さであるラップ量Ｌが０．４ｍｍに設定されている。【選択図】図２
2009228801.tif 000002
【特許請求の範囲】
【請求項１】
互いに同軸的に配置されたヨーク部とコア部とそれらの間に設けられた磁気抵抗部とを有するステータコアと、
前記ステータコア内に配置されて前記コア部の吸引部との間に生じる磁気吸引力により軸方向に移動するプランジャと、
前記ステータコアを励磁して前記磁気吸引力を発生させるコイルと、
前記ステータコアに取り付けられ前記プランジャと同軸的に弁孔が形成されるとともにこの弁孔に作動油を供給するための供給ポートと前記弁孔から前記作動油を排出するための排出ポートと前記供給ポートおよび前記排出ポート間に設けられて前記弁孔から制御圧としての前記作動油を出力するための出力ポートとが形成される弁スリーブと、
前記弁孔に摺動自在に案内支持されて前記プランジャの移動に応じて前記供給ポートと前記出力ポートとの間の連通及び前記出力ポートと前記排出ポートとの間の連通を制御するスプールと、
を備える電磁弁であって、
前記プランジャのコア部側端面には、円筒状の突出部が同軸的に設けられ、
前記コア部には、前記突出部の外周面との間にエアギャップが介在するように当該突出部が進入可能な環状段部が同軸的に設けられ、
前記プランジャが前記磁気吸引力により最もスプール側へ移動したとき、前記環状段部に進入する前記突出部の進入部位の軸方向長さが０．２ｍｍ以上０．８ｍｍ以下に設定されることを特徴とする電磁弁。
【発明の詳細な説明】
【技術分野】
【０００１】
本発明は、コイルに供給される電流に応じたプランジャの移動によりスプールを作動させる電磁弁に関するものである。
【背景技術】
【０００２】
従来より、コイルに供給される電流に応じたプランジャの移動によりスプールを作動させる電磁弁として、下記特許文献１に示す電磁バルブが知られている。この電磁バルブは、励磁コイルによりコア等から構成される固定子を励磁することで可動子（プランジャ）およびスプールを圧縮スプリングのばね力等に抗して軸線方向に移動させ、この移動に応じて入力ポートおよび出力ポートの開度を制御することにより出力ポートから出力される出力油圧を制御している。
【０００３】
そして、この電磁弁の可動子の端面には、円柱状の補助吸引部が、コアの内周面に設けられた環状凸部に向けて延在させて同軸に形成されている。この補助吸引部の軸線方向の長さは、スプールの最大ストローク時（プランジャが磁気吸引力により最もスプール側へ移動したとき）に当該補助吸引部が環状凸部内に若干進入する程度に設定されている。
【０００４】
このため、励磁コイルにより固定子を励磁したときに、可動子およびコアの筒状部を通る磁路と、可動子、補助吸引部およびコアの環状凸部を通る磁路とが形成されるので、可動子とコアの筒状部の先端部との間の磁気吸引力が、補助吸引部と環状凸部との間の磁気吸引力により補強されることとなる。
【特許文献１】特開２００４−１３８１２３号公報
【発明の開示】
【発明が解決しようとする課題】
【０００５】
しかしながら、上述のようにプランジャの補助吸引部の軸線方向の長さが、スプールの最大ストローク時に当該補助吸引部がコアの環状凸部内に若干進入する程度に設定されるとき、その進入部位の軸方向長さが比較的小さい場合には、補助吸引部と環状凸部との間の磁気吸引力を十分に増加させることができないという問題がある。
【０００６】
一方、進入部位の軸方向長さが比較的大きい場合には、補助吸引部と環状凸部との間の磁気吸引力が増加するものの磁束が軸方向だけでなく径方向にも流れてしまうことから、プランジャのストロークに対して磁気吸引力が変化してしまう。このため、プランジャのストロークに対する磁気吸引力の変化を少なくするという吸引力特性の要求に対して十分に応えることができないという別の問題が生じる。
【０００７】
本発明は、上述した課題を解決するためになされたものであり、その目的とするところは、磁気吸引力の増加およびその安定化を実現し得る電磁弁を提供することにある。
【課題を解決するための手段】
【０００８】
上記目的を達成するため、特許請求の範囲に記載の請求項１の電磁弁では、互いに同軸的に配置されたヨーク部（３０）とコア部（４０）とそれらの間に設けられた磁気抵抗部（５１）とを有するステータコア（２１）と、前記ステータコア内に配置されて前記コア部の吸引部（４３）との間に生じる磁気吸引力（Ｆ）により軸方向に移動するプランジャ（２３）と、前記ステータコアを励磁して前記磁気吸引力を発生させるコイル（２２）と、前記ステータコアに取り付けられ前記プランジャと同軸的に弁孔（７２，７３）が形成されるとともにこの弁孔に作動油を供給するための供給ポート（７６）と前記弁孔から前記作動油を排出するための排出ポート（７７）と前記供給ポートおよび前記排出ポート間に設けられて前記弁孔から制御圧としての前記作動油を出力するための出力ポート（７５）とが形成される弁スリーブ（７０）と、前記弁孔に摺動自在に案内支持されて前記プランジャの移動に応じて前記供給ポートと前記出力ポートとの間の連通及び前記出力ポートと前記排出ポートとの間の連通を制御するスプール（８０）と、を備える電磁弁（１０）であって、前記プランジャのコア部側端面には、円筒状の突出部（２３ｂ）が同軸的に設けられ、前記コア部には、前記突出部の外周面との間にエアギャップが介在するように当該突出部が進入可能な環状段部（４９）が同軸的に設けられ、前記プランジャが前記磁気吸引力により最もスプール側へ移動したとき、前記環状段部に進入する前記突出部の進入部位の軸方向長さ（Ｌ）が０．２ｍｍ以上０．８ｍｍ以下に設定されることを技術的特徴とする。
【発明の効果】
【０００９】
請求項１の発明では、プランジャのコア部側端面には、円筒状の突出部が同軸的に設けられており、コア部には、突出部の外周面との間にエアギャップが介在するように当該突出部が進入可能な環状段部が同軸的に設けられている。そして、プランジャが磁気吸引力により最もスプール側へ移動したとき、環状段部に進入する突出部の進入部位の軸方向長さが０．２ｍｍ以上０．８ｍｍ以下に設定されている。
【００１０】
これにより、突出部にはプランジャから磁束が流れるので、この突出部のコア部側端面外縁とコア部の環状段部のプランジャ側縁との間に磁気吸引力が生じることとなる。このように生じる磁気吸引力と、プランジャとコア部の吸引部との間に生じる磁気吸引力とをともに利用することで、磁気吸引力を増加させることができる。
【００１１】
特に、出力ポートと排出ポートとが遮断し終わるときのプランジャのストロークがおよそ１．８ｍｍでありそのときにコイルに供給される電流が１Ａである電磁弁では、コイルに１Ａの電流を供給しストロークが１．８ｍｍであるときの磁気吸引力が高く、かつ、ストロークの変化に対して磁気吸引力が安定することが望ましい。
【００１２】
そこで、プランジャが磁気吸引力により最もスプール側へ移動したとき、環状段部に進入する突出部の進入部位の軸方向長さが０．２ｍｍ以上０．８ｍｍ以下に設定されている。これは、図４に示すように、コイルに１Ａの電流を供給したときのストロークと磁気吸引力の関係を解析したところ、進入部位の軸方向長さ（ラップ量）が０．２ｍｍ以上０．８ｍｍ以下、最適値としては０．４ｍｍである場合に、ストロークが１．８ｍｍであるときの磁気吸引力が高く、かつ、ストロークの変化に対して磁気吸引力が安定しているからである。
【００１３】
これにより、プランジャおよびコア部の吸引部間に生じる磁気吸引力と、突出部および環状段部間に生じる磁気吸引力との和の変動を少なくして磁気吸引力の安定化を図ることができる。
したがって、磁気吸引力の増加およびその安定化を実現することができる。
【発明を実施するための最良の形態】
【００１４】
以下、本発明の一実施形態について図１を参照して説明する。図１は、本実施形態に係る電磁弁１０の構成概要を示す断面図である。
電磁弁１０は、例えば、車両用自動変速機のオイルパン内部において出力する作動油を制御して油圧制御を実現するもので、ソレノイド部２０と、そのソレノイド部２０の一端に設けられたスプール部６０とによって構成されている。ソレノイド部２０は、主に、ステータコア２１と、コイル２２と、プランジャ２３等を備えており、スプール部６０は弁スリーブ７０とスプール８０等を備えている。
【００１５】
ステータコア２１は、磁性材料よりなるヨーク部３０及びコア部４０を備えている。ヨーク部３０は、略円板状の底部３１と、この底部３１の外周縁から円筒状に突出する外筒部３２と、底部３１の径方向略中間部位から外筒部３２と同軸的かつ円筒状に突出する内筒部３３とから構成されている。なお、内筒部３３の底部３１からの突出長さは、外筒部３２の底部３１からの突出長さよりも短くなっている。
【００１６】
コア部４０は、環状のフランジ部４１と、このフランジ部４１の中央から同軸的に突出する円筒部４２とを備えている。この円筒部４２の突出側端部には、プランジャ２３に対して磁気吸引力を発揮する役割を果たす吸引部４３が設けられており、この吸引部４３には、要求される吸引力特性等に応じて所定の勾配を有するようにテーパ部４３ａが形成されている。
【００１７】
コア部４０には、反スプール側から、吸引部４３の内周側を構成する第１内周穴４４と、この第１内周穴４４よりも径の小さい第２内周穴４５と、この第２内周穴４５よりも径の小さい第３内周穴４６と、この第３内周穴４６よりも径の大きな第４内周穴４７とが同軸的に形成されている。ここで、第２内周穴４５と、この第２内周穴４５および第３内周穴４６を連結する端面４８とにより環状段部４９が構成される。
【００１８】
図１に示すように、ヨーク部３０およびコア部４０は、外筒部３２の開口端近傍に設けられる段部３２ａにフランジ部４１の外周側端部が嵌合されるとともに内筒部３３と円筒部４２の吸引部４３とが磁気抵抗部（エアギャップ）５１により磁気的に分離された状態にて、互いに同軸的に配置されている。その際、ボビンに巻回されたコイル２２は、ヨーク部３０の外筒部３２、底部３１および内筒部３３とコア部４０の円筒部４２およびフランジ部４１とに囲まれるように配置されている。
【００１９】
プランジャ２３は、磁性材料からなるプランジャ本体２３ａとこのプランジャ本体２３ａのスプール側端面から同軸的に小径の円筒状に突出する突出部２３ｂとが一体に成形されるとともに、中心孔２３ｃがプランジャ本体２３ａおよび突出部２３ｂを貫通するように形成されている。
【００２０】
プランジャ本体２３ａは、その外径がコア部４０の第１内周穴４４の内径よりも僅かに小さくなるように形成されている。また、突出部２３ｂは、後述するように環状段部４９に進入したときにその外周面とコア部４０の第２内周穴４５との間に所定のエアギャップが介在するように形成されている。
【００２１】
プランジャ２３の中心孔２３ｃには、非磁性材料にて形成されるシャフト２４がその一部の圧入によりプランジャ２３を貫通するように同軸的に固定されている。プランジャ２３から突出するシャフト２４の部位は、その外径がコア部４０の第３内周穴４６の内径よりも小さくなるように形成されている。
【００２２】
プランジャ２３からコア部４０側へ突出するシャフト２４には、コア部４０の環状段部４９の端面４８に当接してプランジャ２３のコア部４０側への移動を規制するためのストッパ２５が設けられている。
【００２３】
プランジャ本体２３ａは、その外周面にて、ステータコア２１のヨーク部３０における内筒部３３の内周面にブッシュ５２を介して摺動自在に支持されている。また、シャフト２４は、その先端部の外周面にて、ステータコア２１のコア部４０の第４内周穴４７にブッシュ５３を介して摺動自在に支持されている。これにより、プランジャ２３およびシャフト２４は、ステータコア２１内に同軸的であって摺動自在に支持されることとなる。
【００２４】
ここで、上述したコア部４０の環状段部４９とプランジャ２３の突出部２３ｂとの形状寸法について図２〜図４を用いて詳細に説明する。図２および図３は、プランジャ２３とコア部４０との位置関係を示す詳細断面図であり、図２（Ａ）はラップ量Ｌが０．４ｍｍ、図２（Ｂ）はラップ量Ｌが０．２ｍｍ、図２（Ｃ）はラップ量Ｌが０．８ｍｍ、図３（Ｄ）はラップ量Ｌが２．４ｍｍ、図３（Ｅ）は突出部および環状段部無しにそれぞれ設定された状態を示す。なお、図２（Ａ）〜（Ｃ）、図３（Ｄ）〜（Ｅ）は、それぞれ上段が非励磁状態を示し、下段が最大ストローク状態を示す。また、図４は、コイル２２に１Ａの電流を供給したときのラップ量Ｌとプランジャ２３のストロークＸおよび磁気吸引力Ｆとの関係を示すグラフである。
【００２５】
本実施形態における電磁弁１０では、非励磁状態（ストロークＸ＝０ｍｍ）から後述する出力ポート７５と排出ポート７７とが遮断し終わるときのプランジャ２３のストロークＸがおよそ１．８ｍｍであり、このときコイル２２に供給される電流が１Ａである。
【００２６】
そこで、図２（Ａ）〜（Ｃ）、図３（Ｄ）〜（Ｅ）に示すように、ラップ量Ｌ＝０．４ｍｍ（図２（Ａ））、ラップ量Ｌ＝０．２ｍｍ（図２（Ｂ））、ラップ量Ｌ＝０．８ｍｍ（図２（Ｃ））、ラップ量Ｌ＝２．４ｍｍ（図３（Ｄ））、突出部および環状段部無し（図３（Ｅ））の各状態を想定し、それぞれのラップ量Ｌにおいてコイル２２に１Ａの電流を供給したときのストロークＸと磁気吸引力Ｆの関係を解析した結果を図４に示す。
【００２７】
ここで、ラップ量Ｌは、図２および図３に示すように、最大ストローク状態のときの環状段部４９に進入する突出部２３ｂの進入部位の軸方向長さである。また、図４において、ストロークＸ＝０ｍｍは非励磁状態を示し、ストロークＸ＝２．２ｍｍは最大ストローク状態であって、ストッパ２５が環状段部４９の端面４８に当接した状態を示す。
【００２８】
図４に示すように、ストロークＸ＝１．８ｍｍでは、突出部および環状段部無しの磁気吸引力Ｆ０（図４に示す細実線）と比較して、ラップ量Ｌ＝０．４ｍｍの磁気吸引力Ｆ１（図４に示す太実線）、ラップ量Ｌ＝０．２ｍｍの磁気吸引力Ｆ２（図４に示す太破線）、ラップ量Ｌ＝０．８ｍｍの磁気吸引力Ｆ３（図４に示す太一点鎖線）における磁気吸引力Ｆが増加しており、特に、ラップ量Ｌ＝０．４ｍｍの磁気吸引力Ｆ１が最も増加していることが判る。また、磁気吸引力Ｆの最大値と最小値との差が小さいため、磁気吸引力Ｆが安定していることが判る。
【００２９】
一方、ラップ量Ｌ＝２．４ｍｍの磁気吸引力Ｆ４（図４に示す細破線）では、突出部および環状段部無しの磁気吸引力Ｆ０（図４に示す細実線）と比較して、磁気吸引力Ｆの最大値が増加する。しかしながら、ストロークＸ＝１．８ｍｍでは、突出部および環状段部無しの磁気吸引力Ｆ０よりも減少し、磁気吸引力Ｆが変動していることが判る。
【００３０】
そこで、本実施形態における電磁弁１０では、ストロークＸ＝１．８ｍｍにおける磁気吸引力Ｆの増加とその磁気吸引力Ｆの安定化を考慮して、ラップ量Ｌが０．４ｍｍになるように、コア部４０の環状段部４９およびプランジャ２３の突出部２３ｂの軸方向寸法が設定されている。なお、ラップ量Ｌが０．２ｍｍ以上０．８ｍｍ以下になるように、コア部４０の環状段部４９およびプランジャ２３の突出部２３ｂの軸方向寸法が設定されてもよい。
【００３１】
このようにソレノイド部２０が構成されることにより、コイル２２への通電に応じて、ステータコア２１およびプランジャ２３とでもって磁気回路が構成されることとなる。この磁気回路に磁束が流れるとき、プランジャ２３およびシャフト２４は、プランジャ本体２３ａのコア側端面外縁近傍とコア部４０の吸引部４３との間に生じる磁気吸引力に加えて、突出部２３ｂのコア側端面外縁近傍とコア部４０の環状段部４９のプランジャ側縁近傍との間に生じる磁気吸引力により、コア部４０に近接する軸方向（スプール側）に移動する。
【００３２】
外筒部３２の開口端側に位置するフランジ部４１の外側面には、スプール８０を摺動可能に嵌装する弁スリーブ７０が配設されている。そして、外筒部３２の開口側筒状端部３２ｂを、弁スリーブ７０に形成されたフランジ部７１とフランジ部４１とを接合させた状態でかしめることにより、ソレノイド部２０とスプール部６０とが一体結合されている。
【００３３】
弁スリーブ７０には、径の異なる第１弁孔７２と第２弁孔７３が形成されるとともに、この第２弁孔７３に接続するばね収容孔７４が形成されている。これら各弁孔７２、７３およびばね収容孔７４は、ステータコア２１およびプランジャ２３と同軸上に延びるように形成されている。
【００３４】
スプール８０には、第１弁孔７２に嵌合する第１ランド部８１および第２ランド部８２と、第２弁孔７３に嵌合する第３ランド部８３が設けられている。
【００３５】
第１ランド部８１および第２ランド部８２は軸方向に所定量離間して設けられ、小径部８４によって互いに連結されている。第１弁孔７２には、小径部８４に対応して環状溝７２ａが形成されており、この環状溝７２ａには、制御圧としての作動油を出力する出力ポート７５が連通されている。
【００３６】
弁スリーブ７０には、第１ランド部８１および第２ランド部８２の互いに対向する端面にそれぞれ対応して第１弁孔７２に作動油を供給するための供給ポート７６および第１弁孔７２から作動油を排出するための排出ポート７７が形成されている。
【００３７】
第２ランド部８２と第３ランド部８３との間には段差部８５が設けられており、この段差部８５に連通するフィードバックポート７８が弁スリーブ７０に形成されている。このフィードバックポート７８は、図略の連通路を介して出力ポート７５に連通されている。
【００３８】
また、弁スリーブ７０には、ばね収容孔７４に連通するドレンポート７９が形成されている。なお、スプール８０の一端には、シャフト２４のスプール側端面に当接するシャフト部８６が突設されている。
【００３９】
ばね収容孔７４の開口端はその内周面に形成されたねじ孔に螺合するプラグ９０によって閉塞され、このプラグ９０とスプール８０の間にばね９１が設けられている。スプール８０は、ばね９１の付勢力によってプランジャ２３に向けて押圧され、これにより、スプール８０のシャフト部８６を介してプランジャ２３に圧入されたシャフト２４が、通常ヨーク部３０の底部３１に当接する初期位置に保持されている。かかるプランジャ２３の初期位置において、プランジャ２３のスプール側端縁は、コア部４０の吸引部４３の端部に軸方向にてほぼ一致するように配置されている（図１参照）。
【００４０】
このように構成される本実施形態に係る電磁弁１０の作用について、以下に説明する。コイル２２が非励磁状態（ストロークＸ＝０）の場合には、スプール８０は、ばね９１の付勢力によりプランジャ２３を反スプール方向に押圧し、プランジャ２３をヨーク部の底部３１に当接する初期位置に保持している。この非励磁状態においては、出力ポート７５は、供給ポート７６との連通が遮断されているとともに、排出ポート７７に連通され、これによって出力ポート７５は低圧に保持されている。
【００４１】
一方、コイル２２に通電して励磁すると、ステータコア２１およびプランジャ２３でもって構成される磁気回路に磁束が流れる。これにより、プランジャ本体２３ａのコア側端面外縁近傍とコア部４０の吸引部４３との間、および、突出部２３ｂのコア側端面外縁近傍とコア部４０の環状段部４９のプランジャ側縁近傍との間に、それぞれ磁気吸引力Ｆが発生する。
【００４２】
これらの磁気吸引力Ｆにより、プランジャ２３およびシャフト２４が吸引部４３側へ引き寄せられて、スプール８０がばね９１の付勢力に抗して反プランジャ方向に移動する。この移動により、第２ランド部８２が供給ポート７６を開口し始めるとともに、第１ランド部８１が排出ポート７７の開口面積を制限し始めるので、出力ポート７５の制御圧は次第に上昇される。
【００４３】
また、出力ポート７５から出力される制御圧に応じた作動油は、上記連通路を介してフィードバックポート７８に供給される。フィードバックポート７８に供給された作動油は、段差部８５に作用して、第１ランド部８１と段差部８５の面積差を乗じたフィードバック力をばね９１の付勢力と同方向にプランジャ２３に作用させる。
【００４４】
このように本実施形態に係る電磁弁１０では、コイル２２に通電される電流値に応じて発生する上記各磁気吸引力Ｆと、ばね９１の付勢力と、段差部８５に作用するフィードバック力とがバランスする位置にスプール８０が保持され、これによって上記制御圧はコイル２２に通電された電流値に応じた圧力に制御される。
【００４５】
特に、本実施形態においては、コア部４０の環状段部４９およびプランジャ２３の突出部２３ｂの軸方向寸法が、ラップ量Ｌ＝０．４ｍｍになるように設定されている。これにより、ストロークＸ＝１．８ｍｍにおける磁気吸引力Ｆの増加とその磁気吸引力Ｆの安定化が図られている。
【００４６】
以上説明したように、本第１実施形態に係る電磁弁１０では、プランジャ２３のプランジャ本体２３ａのコア部側端面には、円筒状の突出部２３ｂが同軸的に設けられている。また、ステータコア２１のコア部４０には、突出部２３ｂの外周面との間にエアギャップが介在するように当該突出部２３ｂが進入可能な環状段部４９が同軸的に設けられている。そして、プランジャ２３が磁気吸引力Ｆにより最もスプール側へ移動したとき（ストロークＸ＝２．２ｍｍ）、環状段部４９に進入する突出部２３ｂの進入部位の軸方向長さであるラップ量Ｌが０．４ｍｍに設定されている。
【００４７】
これにより、突出部２３ｂにはプランジャ本体２３ａから磁束が流れるので、この突出部２３ｂのコア部側端面外縁近傍とコア部４０の環状段部４９のプランジャ側縁近傍との間に磁気吸引力が生じることとなる。このように生じる磁気吸引力と、プランジャ本体２３ａとコア部４０の吸引部４３との間に生じる磁気吸引力とをともに利用することで、磁気吸引力Ｆを増加させることができる。
【００４８】
特に、ラップ量Ｌが０．４ｍｍに設定されているので、図４から判るように、出力ポート７５と排出ポート７７とが遮断し終わるときのプランジャ２３のストロークＸがおよそ１．８ｍｍでありそのときにコイル２２に供給される電流が１Ａである電磁弁１０では、コイルに１Ａの電流を供給しストロークＸが１．８ｍｍであるときの磁気吸引力Ｆが高く、かつ、ストロークＸの変化に対して磁気吸引力Ｆが安定する。
【００４９】
これにより、プランジャ本体２３ａおよび吸引部４３間に生じる磁気吸引力と、突出部２３ｂおよび環状段部４９間に生じる磁気吸引力との和の変動を少なくして磁気吸引力Ｆの安定化を図ることができる。
したがって、磁気吸引力Ｆの増加およびその安定化を実現することができる。
【図面の簡単な説明】
【００５０】
【図１】本実施形態に係る電磁弁の構成概要を示す断面図である。
【図２】プランジャとコア部との位置関係を示す詳細断面図である。
【図３】プランジャとコア部との位置関係を示す詳細断面図である。
【図４】コイルに１Ａの電流を供給したときのラップ量とプランジャのストロークおよび磁気吸引力との関係を示すグラフである。
【符号の説明】
【００５１】
１０…電磁弁
２０…ソレノイド部
２１…ステータコア
２２…コイル
２３…プランジャ
２３ａ…プランジャ本体
２３ｂ…突出部
３０…ヨーク部
４０…コア部
４３…吸引部
４９…環状段部
５１…磁気抵抗部
６０…スプール部
７０…弁スリーブ
７２…第１弁孔（弁孔）
７３…第２弁孔（弁孔）
７５…出力ポート
７６…供給ポート
７７…排出ポート
８０…スプール
Ｆ…磁気吸引力
Ｌ…ラップ量（進入部位の軸方向長さ）
Ｘ…ストローク
【図１】
2009228801.tif 000003
【図２】
2009228801.tif 000004
【図３】
2009228801.tif 000005
【図４】
2009228801.tif 000006